(57)【要約】【課題】  間仕切り壁を設置する二重床構造において、床パネルの加工等を必要とせずに、間仕切り壁コンセントへの床下からの配線作業を簡便、かつ、容易なものとする。【解決手段】  ＜１＞床下に配線４を設け、所要部位を固定壁１に仮固定して下地パネル２と固定壁１との間の隙間７Ｂから配線前方部４Ａを引出し可能とする。  ＜２＞二重床の各下地パネル２を、その相互の間並びに固定壁１との間に隙間７Ａ，７Ｂを設けて配置する。  ＜３＞引出し可能とされた配線前方部４Ａを、下地パネル２相互の間の隙間７Ａ等を介して間仕切り壁パネルを設ける二重床の所定の平面位置まで引回す。  ＜４＞引回した配線前方部４Ａを床下から立上げて間仕切り壁パネルの所定位置へと結線する。【選択図】図１
2006299756.tif 000002
【特許請求の範囲】
【請求項１】
間仕切り壁パネルを設ける二重床の配線方法であって、以下の工程を含むことを特徴とする二重床の配線方法。
＜１＞床下に配線を設け、所要部位を固定壁に仮固定し、二重床の下地パネルと固定壁との間の隙間から配線を引出し可能とする。
＜２＞二重床の各下地パネルを、その相互の間並びに固定壁との間に隙間を設けて配置する。
＜３＞引出し可能とされた配線を、前記隙間の少くともいずれかを介して誘導し、間仕切り壁パネルを設ける二重床の所定の平面位置まで引回す。
＜４＞引回した配線を床下から立上げて間仕切り壁パネルの所定位置へと結線する。
【請求項２】
請求項１の配線方法において、間仕切り壁パネルの下部に設けた配線通路を介して間仕切り壁パネルのコンセントへと配線を結線することを特徴とする二重床の配設方法。
【発明の詳細な説明】
【技術分野】
【０００１】
本願発明は二重床の配線方法に関するものであり、さらに詳しくは、間仕切り壁パネルを設ける二重床における配線方法に関するものである。
【背景技術】
【０００２】
二重床構造は、床下の懐に配管や配線を行うことができ、それらの配置位置の変更自由度も大きく、さらに床下収納も可能とされるなどのメリットを有している。また、間仕切り壁を設置する場合には、その固定を床の上に行うことから、床下の配線等にあまり制約されることなく間仕切り壁の位置変更を比較的自在に行うことができるという特徴もある。
【０００３】
一方、このような特徴のある二重床構造ではあるが、実際の配線作業では、たとえば間仕切り壁等の壁にコンセントを設ける場合には、コンセント位置の下方の二重床の床下近傍まで配線を誘導し、二重床より配線を引上げるために床に孔を開けなければならない。このような従来の配線作業では、所定の床下位置までの配線の誘導を二重床設置前に行って、所定位置の床の孔から配線を立上げて引出すことになるが、配線のための電気工事作業と二重床の設置、そして孔開け等の建築工事作業とはほぼ同時に行わねばならず、その作業の区分と協働の調整は容易ではない。しかも、従来では、配線の引上げ箇所はコンセントの数と同じとしていることから、コンセントの数が多いと孔の数も多くなり、この調整はさらに難しくなる。さらにまた、二重床設置後に間仕切り壁パネル、そしてそのコンセントの配置位置を変更しようとする場合には、配線の位置変更のために大がかりな、二重床の撤去、再取付けのための作業が必要になる。
【０００４】
また、戸建ての場合では床下懐もあり、床下にもぐって作業をすることも可能であるが、特に、マンションのように床下懐がほとんどない場合は床の一部を剥がす等、大掛かりな作業が必要となる。
【０００５】
このような二重床構造であることにともなう配線の問題点を解決するために、オフィスオートメーション用二重床として、配線の引直しが容易になるように、従来より、二重床を構成する床パネルを加工して配線用の空所をあらかじめ床平面の複数箇所に設けておき、この空所より配線を引上げることができるように様々な試みがなされている。たとえば、あらかじめ床パネルに切り欠きを設けて、この切欠きから配線を立上げる構造が提案されている（特許文献１）。
【０００６】
しかしながら、このような切欠き等による空所の加工では床パネルの製造上の負担が大きく、また二重床の施工においても切欠き等の配置を正確にするための作業上の負担も大きいという問題があった。そして従来のこのような空所を加工により設けた二重床においても、二重床設置前での床下への配線は床パネル切欠き等の空所位置に誘導しておかねばならないため、配線電気工事と、二重床建築工事とはほぼ同時となるように調整することが必要になる。だが実際の施工ではこの調整は前記のとおり容易ではない。しかも、二重床設置後の間仕切り壁やそのコンセントの位置変更にともなう配線の変更では、所定位置の切欠き等の空所への配線誘導は困難であって、結局のところ二重床を剥がす等の大がかりな作業が必要になる。
【特許文献１】特許第２６０９６１号公報
【発明の開示】
【発明が解決しようとする課題】
【０００７】
本願発明は、上記のとおりの背景から、従来の問題点を解消し、間仕切り壁を設置する二重床構造において、床パネルの加工等を必要とせずに、配線のための電気工事と二重床設置のための建築施工との調整負担が軽減され、各々の作業が別に行われることも可能であって、かつ配線の変更においても、二重床を剥がす等の大がかりな作業を必要とすることなく、間仕切り壁コンセントへの床下からの配線作業を簡便、かつ、容易なものとすることができる二重床の配線方法を提供することを課題としている。
【課題を解決するための手段】
【０００８】
本願発明の二重床の配線方法は上記の課題を解決するものとして以下のことを特徴としている。
【０００９】
第１：間仕切り壁パネルを設ける二重床の配線方法であって、以下の工程を含む。
【００１０】
＜１＞床下に配線を設け、所要部位を固定壁に仮固定し、二重床の下地パネルと固定壁との間の隙間から配線を引出し可能とする。
【００１１】
＜２＞二重床の各下地パネルを、その相互の間並びに固定壁との間に隙間を設けて配置する。
【００１２】
＜３＞引出し可能とされた配線を、隙間の少くともいずれかを介して誘導し、間仕切り壁パネルを設ける二重床の所定の平面位置まで引回す。
【００１３】
＜４＞引回した配線を床下から立上げて間仕切り壁パネルの所定位置へと結線する。
【００１４】
第２：上記の配線方法において、間仕切り壁パネルの下部に設けた配線通路を介して間仕切り壁パネルのコンセントへと配線を結線する。
【発明の効果】
【００１５】
上記のとおりの本願第１の発明の方法によれば、あらかじめ床下に配置した配線を固定壁に仮止めしておき、その後に二重床の床パネルを隙間を設けて施工することから、配線工事は、二重床の施工とは同時である必要はなく、二重床の施工後に、引出し可能とされた配線を持って電気工事者は隙間を介して所定位置にまで誘導引回して配線することができる。これによって、電気工事と建築施工との調整の負担は大幅に軽減されることになる。また下地パネルは隙間をもって配設することから、従来の切欠き等の空所のような下地パネルの加工も全く必要がない。
【００１６】
仮に、配線位置を変更する場合でも、二重床そのものを剥がす等の大がかりな作業は必要でなく、必要最小限に下地パネル上に載置しているフロア（表面材）を取除いて配線作業を行うことができる。
【００１７】
このようにして、二重床所定平面位置の間仕切り壁への配線作業は極めて簡便、かつ容易となる。
【００１８】
また、本願第２の発明によれば、二重床の床下からの間仕切り壁コンセントへの配線とその変更が間仕切り壁下部の配線通路を介することでさらに容易となる。配線通路は、巾木の配線によって外観を遮へいすることもできる。
【発明を実施するための最良の形態】
【００１９】
本願発明は上記のとおりの特徴をもつものであるが、以下にその実施の形態について説明する。
【００２０】
添付した図面の図１は本願発明方法の一実施形態を説明するための床平面図である。この図１の例においては、戸境壁や外壁等の固定壁１に囲まれた床平面において、二重床を構成する下地パネル２と、これを支持する支持脚部３が配置されている。また図１中には、配線４とともに、間仕切り壁を立設するためのランナー５の予定配置位置も示されている。
【００２１】
図２は、図１のａ−ａ矢視図であり、図３は、間仕切り壁パネル６を立設した場合の図１のｂ−ｂ矢視図である。
【００２２】
この図１、図２並びに図３に沿って説明すると、二重床における配線は次の工程手順として実施される。
【００２３】
＜１＞床下にあらかじめ配線４を設け、所要部位、すなわち、少なくとも所定の平面位置まで延設可能な配線長さを有する前方部４Ａの余裕を確保できる部位を固定壁１に仮止め部材９を用いる等により仮固定し、配線４を立上げてその前方部４Ａを引出し誘導可能とする。
【００２４】
この場合の仮固定、立上げ位置は正確でなくともおおよその位置があっていればよい。次工程において下地パネル２と固定壁１との間には隙間７Ｂが設けられるために仮固定の位置は融通がきき、配線前方部４Ａを引き出すことができるために、作業の手間が大幅に削減できる。
【００２５】
このため、あらかじめの正確な位置だしや墨だしが不要となり、作業の合理化となる。
【００２６】
＜２＞二重床の各下地パネル２を、その相互の間の隙間７Ａと固定壁１との間の隙間７Ｂとを設けて所定の平面位置に配置する。下地パネル２は、たとえば床スラブ８に立設した支持脚部３によって、その四角を支持する。
【００２７】
＜３＞配線作業者は、引出し誘導可能とされた配線前方部４Ａを手に持って、図１に矢印で例示したように、下地パネル２の隙間７Ｂ，７Ａを介して配線前方部４Ａを引回し移動させる。支持脚部３位置においては下地パネル２の下面をくぐらせる。
【００２８】
このようにして配線前方部４Ａを、配置予定の間仕切り壁パネル６の所定位置にまで引回す。
【００２９】
この手順においては、仮固定した配線４の前方部４Ａを持って、作業者は隙間７Ｂ，７Ａを介して配線前方部４Ａを簡便、かつ容易に所定位置にまで引回して配線することができる。引回し終了後には、図２において矢印αで示したように配線前方部４Ａは二重床の床下部に納まり、たとえば図１および図３に例示したように、下地パネル２間の隙間７Ａより立上げてランナー５の通線孔１０を介して間仕切り壁パネル６へと導くことができる。
【００３０】
＜４＞間仕切り壁パネル６においては、図３に例示したように、その下部に設けた配線通路１１を介して配線前方部４Ａを導き、コンセントに結線する。
【００３１】
間仕切り壁パネル６の下部に配線通路１１を設けることで、コンセントへの直線的な送り配線が可能となってくる。よって、配線ロスが少なくてすむ。かつ、直線的な送り配線が可能なため、コンセントの位置変更（新設、増設、移設）に対応しやすい。
【００３２】
今までコンセントが無かったところへの新設は、そのまま送り配線でき、配線中に増設の時は接続器具を設ければ配線の直線上に設置することができる。また、通路１１を巾木で隠すことにより、外観も良好とすることができる。
【００３３】
もちろん以上の例示に限られることなく、本願発明についてはその実施の形態は様々であってよい。
【図面の簡単な説明】
【００３４】
【図１】実施形態を説明するための平面配置図である。
【図２】図１のａ−ａ矢視図である。
【図３】間仕切り壁を配置した場合の図１のｂ−ｂ矢視図である。
【符号の説明】
【００３５】
１  固定壁
２  下地パネル
３  支持脚部
４  配線
４Ａ  配線前方部
５  ランナー
６  間仕切り壁パネル
７Ａ  下地パネル相互間の隙間
７Ｂ  下地パネルと固定壁との間の隙間
８  床スルブ
９  仮止め部材
１０  通線孔
１１  配線通路
【図１】
2006299756.tif 000003
【図２】
2006299756.tif 000004
【図３】
2006299756.tif 000005